(57)【要約】【課題】  係止受への係止爪の良好な係止作業性を確保し、カバー及びケースの位置決め作業及び固定作業を迅速かつ確実に行う。【解決手段】  第１係止部１０の第１係止爪１２及び第２係止部の第２係止受が、それぞれ裏カバー９に設けられ、かつ第１係止部１０の第１係止受１３及び第２係止部の第２係止爪が、それぞれケース７に設けられている。第２係止部における第２係止受への第２係止爪の係止により、裏カバー９の他方側がケース７に固定された状態で、裏カバー９の一方側がケース７の内側へ挿入される。これにより、第１係止部１０の第１係止爪１２は、第１係止受１３のテーパー面１３ｂで摺動されて第１係止受１３の第１係止面１３ａ側に案内され、可撓部材１１を第１係止受１３側に所定量撓ませた状態で、第１係止受１３の第１係止面１３ａに係止される。【選択図】      図７
2006105922.tif 000002
【特許請求の範囲】
【請求項１】
カバーをケースに固定させるためのカバー固定構造であって、
前記カバーの背面に突設され、所要の可撓性を有する可撓部材と、
該可撓部材の外側側面に突設された係止爪と、
前記ケース内側側面の前記係止爪と対向する位置に突設され、前記係止爪を係止する係止面が設けられるとともに、前記係止爪を前記係止面側に摺動・案内させつつ前記可撓部材を所定量撓ませるテーパー面を、前記係止面に連続して設けられた係止受とを備え、
前記係止爪は、前記カバーを前記ケースに固定させる際、前記係止受の前記テーパー面で摺動されて前記係止受の前記係止面側に案内され、前記可撓部材を前記係止受側に所定量撓ませた状態で、前記係止受の前記係止面に係止されることを特徴とするカバー固定構造。
【請求項２】
カバーをケースに固定させるためのカバー固定構造であって、
前記カバーの一方側を前記ケースに固定させる第１係止部と、
前記カバーの他方側を前記ケースに固定させる第２係止部とを備え、
前記第１係止部は、前記カバーの背面に突設され、所要の可撓性を有する可撓部材と、
前記可撓部材の外側側面に突設された第１係止爪と、
前記ケース内側側面の前記第１係止爪と対向する位置に突設され、前記第１係止爪を係止する第１係止面が設けられるとともに、前記第１係止爪を摺動・案内させつつ前記可撓部材を所定量撓ませるテーパー面を、前記第１係止面に連続して設けられた第１係止受とから構成され、
前記第２係止部は、前記ケースに設けられ、所要の可撓性を有する第２係止爪と、
前記カバーに設けられ、前記第２係止爪を係止する第２係止受と、から構成されており、
前記第２係止爪の前記第２係止受への係止により、前記カバーの他方側が前記ケースに固定された状態で、前記第１係止爪が、前記第１係止受の前記テーパー面で摺動されて前記第１係止受の前記第１係止面側に案内され、前記可撓部材を前記第１係止受側に所定量撓ませた状態で、前記第１係止受の前記第１係止面に係止されることを特徴とするカバー固定構造。
【発明の詳細な説明】
【技術分野】
【０００１】
本発明は、例えばアナログタイプ又はデジタルタイプの車両用計器装置において、ケース背面を覆う裏カバーをケースに固定させるためのカバー固定構造に関する。
【背景技術】
【０００２】
従来から自動車等に搭載される計器装置の組付構造に関しては様々なものが知られている（例えば、特許文献１参照）。図８は、特許文献１で開示されている計器装置の組付構造を示す分解斜視図である。
【０００３】
図８に示されるように、計器装置１００の組付構造において、カバー部品１０１は、側面に立設された係止爪１０２を、ケース部品１０３の側壁１０４に設けられた保持部１０５に、図８中の下側から嵌合されることにより、ケース部品１０３に位置決め・固定される。
【特許文献１】特開２００１―１７４２９２号公報（第３〜４頁、第１図）
【発明の開示】
【発明が解決しようとする課題】
【０００４】
しかしながら、上述した従来の計器装置１００の組付構造では、係止爪１０２及び保持部１０５がそれぞれ、カバー部品１０１及びケース部品１０３の外側面に配置されており、当該外側面で嵌合されるため、係止爪１０２の位置決めを行い難く、作業性が低いという問題があった。
【０００５】
また、カバー部品１０１の厚みがそのままケース部品１０３の厚みに加わり、計器装置１００の寸法を増大させてしまうという問題もあった。
【０００６】
本発明は、上記事情に鑑みてなされたものであり、係止受への係止爪の良好な係止作業性を確保することができ、カバー及びケースの位置決め作業及び固定作業を迅速かつ確実に行うことができるカバー固定構造を提供することを目的とする。
【課題を解決するための手段】
【０００７】
１）本発明のカバー固定構造は、カバーをケースに固定させるためのカバー固定構造であって、カバーの背面に突設され、所要の可撓性を有する可撓部材と、可撓部材の外向きの側面に突設された係止爪と、ケース内側側面の係止爪と対向する位置に突設され、係止爪を係止する係止面が設けられるとともに、係止爪を係止面側に摺動・案内させつつ可撓部材を所定量撓ませるテーパー面を、係止面に連続して設けられた係止受とを備えている。
【０００８】
そして、係止爪は、カバーをケースに固定させる際、係止受のテーパー面で摺動されて係止受の係止面側に案内され、可撓部材を係止受側に所定量撓ませた状態で、係止受の係止面に係止されることを特徴とする。
【０００９】
前記構成のカバー固定構造によれば、カバーをケースに固定させる際、係止爪が、係止受のテーパー面で摺動されて係止受の係止面側に案内され、可撓部材を係止受側に所定量撓ませた状態で、係止受の係止面に係止される。ことにより、係止受への係止爪の良好な係止作業性が確保され、カバー及びケースの位置決め及び固定作業性が優れたカバー固定構造が得られる。また、カバーが外れようとすると、可撓部材が係止受側にさらに撓み、係止爪の先端が係止面の奥側にさらに潜り込むことで、カバーの脱落を確実に防止することができる。
【００１０】
２）本発明のカバー固定構造は、カバーをケースに固定させるためのカバー固定構造であって、カバーの一方の側をケースに固定させる第１係止部と、カバーの他方の側をケースに固定させる第２係止部とを備え、第１係止部は、カバーの背面に突設され、所要の可撓性を有する可撓部材と、可撓部材の外側側面に突設された第１係止爪と、ケース内側側面の係止爪と対向する位置に突設され、第１係止爪を係止する第１係止面が設けられるとともに、第１係止爪を摺動・案内させつつ可撓部材を所定量撓ませるテーパー面を、第１係止面に連続して設けられた第１係止受とから構成されている。
【００１１】
そして、第２係止部は、ケース側に設けられ、所要の可撓性を有する第２係止爪と、カバー側に設けられ、第２係止爪を係止する第２係止受とから構成されており、第２係止爪の第２係止受への係止により、カバーの他方側がケースに固定された状態で、第１係止爪が第１係止受のテーパー面で摺動されて第１係止受の第１係止面側に案内され、可撓部材を第１係止受側に所定量撓ませた状態で、第１係止受の第１係止面に係止されることを特徴とする。
【００１２】
前記構成のカバー固定構造によれば、第２係止部における第２係止受への第２係止爪の係止により、カバーの他方側がケースに固定された状態で、第１係止部における第１係止爪が、第１係止受のテーパー面で摺動されて第１係止受の第１係止面側に案内され、可撓部材を第１係止受側に所定量撓ませた状態で、第１係止受の第１係止面に係止されることにより、係止受への係止爪の良好な係止作業性が確保され、カバー及びケースの位置決め及び固定作業性が優れたカバー固定構造が得られる。
また、カバーの外れ方向に外力が作用した場合、可撓部材がケース側に撓むことで、第１係止爪が第１係止受の第１係止面の奥側にさらに潜り込む。これにより、カバーのケースからの外れや脱落を確実に防止することができる。
【発明の効果】
【００１３】
本発明のカバー固定構造によれば、係止爪の係止受への良好な係止作業性を確保することができ、カバー及びケースの位置決め作業及び固定作業を迅速かつ確実に行うことができる。
【発明を実施するための最良の形態】
【００１４】
以下、本発明のカバー固定構造の実施形態を図１〜図７に基づいて詳細に説明する。
図１は本発明の一実施形態であるカバー固定構造を適用されたアナログタイプの車両用計器装置を示す分解斜視図、図２は本発明の一実施形態であるカバー固定構造を示す斜視図、図３は図２のカバー固定構造の第１係止部の係止前の状態を示す要部斜視図、図４は図３の第１係止部の係止状態を示す要部斜視図、図５は図３の第１係止部の第１係止爪を示す要部斜視図、図６は図３の第１係止部の第１係止受を示す要部斜視図、図７は図３の第１係止部の係止過程を示す要部概略側面図であり、（ａ）は係止前の状態、（ｂ）は係止後の状態を示す。
【００１５】
図１に示すように、アナログタイプの車両用計器装置１は、車室内側（図１中、左側）から順に、表硝子２、見返し３、ゲージ指針アッセンブリ４、スピード指針アッセンブリ５、文字板６、ケース７、配線板アッセンブリ８、及びケース７背面の開口部を覆う裏カバー９から構成されている。ケース７と裏カバー９の固定には、図２〜図７に示すカバー固定構造が適用される。
【００１６】
すなわち、図２に示すように、裏カバー９をケース７背面の開口部に固定させるための裏カバー固定構造においては、第１係止部１０が、裏カバー９の一方の側（車両用計器装置の下部側、図２中の右側）をケース７に固定させるとともに、第２係止部２０が、裏カバー９の他方の側（車両用計器装置の上部側、図２中の左側）をケース７に固定させる。
【００１７】
また、第２係止部２０は、ケース７の内側面に設けられ、所要の可撓性を有する第２係止爪（図示しない）と、裏カバー９の背面に設けられ、第２係止爪を係止する第２係止受（図示しない）とから構成される。
【００１８】
図３〜図７に示すように、第１係止部１０は、裏カバー９の背面（ケース７側と反対側の面）に突設された可撓部材１１と、可撓部材１１の外向きの側面（図７中、右側面）に突設された第１係止爪１２と、ケース７の内側面における第１係止爪１２と対向する位置に突設された第１係止受１３とから構成される。
【００１９】
可撓部材１１は、内向き（図５中、矢印Ａ方向）に所要の可撓性を有する。第１係止爪１２は、可撓部材１１の図７中の右側面１１ａに対して略直交方向に延設された上面１２ａ、及び可撓部材１１の図７中の右側面に対して傾斜して設けられる傾斜面１２ｂの交点に、先端部１２ｃを有する。第１係止受１３は、第１係止爪１２を係止する第１係止面１３ａと、第１係止面１３ａに連続して設けられ、第１係止爪１２の先端部１２ｃを摺動・案内させつつ、可撓部材１１を第１係止受１３側（図７中、右側）に所定量撓ませるテーパー面１３ｂと、先端面１３ｃとを有する。
【００２０】
また、第１係止部１０の第1係止爪１２は、第２係止部２０における第２係止受への第２係止爪の係止により、裏カバー９の図２中の左側がケース７に固定された状態で、裏カバー９の図２中の右側がケース７内側へ挿入されるのに伴って、先端部１２ｃをケース７の第１係止受１３のテーパー面１３ｂに係合される（図７（ａ）に示す状態）。そして、第１係止爪１２は、第１係止受１３の第１係止面１３ａ側に向けて摺動され、可撓部材１１を第１係止受１３側に所定量撓ませた状態で、第１係止受１３の第１係止面１３ａ側に潜り込むようにして、先端部１２ｃを第１係止面１３ａに線接触状態で係止される（図７（ｂ）に示す状態）。
【００２１】
本実施形態の作用を説明する。
上述した構成のカバー固定構造では、裏カバー９をケース７背面の開口部を覆うように固定させる際、最初に裏カバー９の図２中の左側がケース７内側へ挿入されるのに伴って、第２係止部２０のケース７の第２係止爪が、裏カバー９の第２係止受に係止される。これにより、裏カバー９の図２中の左側がケース７に固定される。
【００２２】
次に、裏カバー９の図２中の右側がケース７内側へ挿入されるのに伴って、第１係止部１０において、裏カバー９の第1係止爪１２が、先端部１２ｃをケース７の第１係止受１３のテーパー面１３ｂに係合され（図７（ａ）に示す状態）、テーパー面１３ｂに沿って第１係止面１３ａ側（図７（ａ）中、右斜め下方）に向けて摺動される。
【００２３】
そして、第１係止爪１２は、可撓部材１１を第１係止受１３側（図７中、右側）に所定量撓ませた状態で、第１係止受１３の第１係止面１３ａ側に潜り込むようにして、先端部１２ｃを第１係止面１３ａに線接触状態で係止される（図７（ｂ）に示す状態）。この際、第１係止受１３は、先端面１３ｃを、可撓部材１１の図７中の右側面１１ａにおける第１係止爪１２の上部に当接される。これにより、裏カバー９の図２中の右側がケース７に固定される。
【００２４】
この図７（ｂ）に示す状態で、裏カバー９に図中上方への外力が作用した場合、可撓部材１１がケース７側に撓み、第１係止爪１２は第１係止受１３の第１係止面１３ａの奥にさらに潜り込む。これにより、裏カバー９のケース７からの外れや脱落を確実に防止することができる。
【００２５】
以上のように上記実施形態によれば、第１係止部１０の第１係止爪１２及び第２係止部２０の第２係止受が、それぞれ裏カバー９に設けられ、かつ第１係止部１０の第１係止受１３及び第２係止部２０の第２係止爪が、それぞれケース７に設けられている。
また、第１係止部１０の第１係止爪１２は、第２係止部２０における第２係止受への第２係止爪の係止により、裏カバー９の図２中の左側がケース７に固定された状態で、裏カバー９の図２中の右側がケース７の内側へ挿入されるのに伴って、第１係止受１３のテーパー面１３ｂで摺動されて第１係止受１３の第１係止面１３ａ側に案内され、可撓部材１１を第１係止受１３側に所定量撓ませた状態で、第１係止受１３の第１係止面１３ａに係止される。また、裏カバー９の外れ方向に外力が作用した場合、可撓部材１１がケース７側に撓み、第１係止爪１２先端が第１係止面１３ａの奥側にさらに潜り込む。
【００２６】
したがって、第２係止部２０の第２係止爪を第２係止受に嵌合された後の第１係止部１０において、第１係止受１３への第１係止爪１２の良好な係止作業性を確保することができる。これにより、裏カバー９及びケース７の位置決め作業及び固定作業を迅速かつ確実に行うことができる。また、裏カバー９のケース７からの外れや脱落を確実に防止することができる。更に、裏カバー９をケース７の内側に固定させるので、裏カバー９の厚みがケース７の厚みに加わることはなく、裏カバー９の取付に伴う車両用計器装置１の奥行寸法の増大を回避することができる。
【００２７】
本発明により得られるカバー固定構造は、アナログタイプ又はオプティトロンタイプの車両用計器装置において、ケース背面を覆う裏カバーをケースに固定させるケース固定構造として好適に用いられる。
【図面の簡単な説明】
【００２８】
【図１】本発明の一実施形態であるカバー固定構造を適用されたアナログタイプの計器装置を示す分解斜視図である。
【図２】本発明の一実施形態であるカバー固定構造を示す斜視図である。
【図３】図２のカバー固定構造の第１係止部の係止前の状態を示す要部斜視図である。
【図４】図３の第１係止部の係止状態を示す要部斜視図である。
【図５】図３の第１係止部の第１係止爪を示す要部斜視図である。
【図６】図３の第１係止部の第１係止受を示す要部斜視図である。
【図７】図３の第１係止部の係止過程を示す要部概略側面図である。
【図８】特許文献１で開示されている計器装置の組付構造を示す分解斜視図である。
【符号の説明】
【００２９】
１      アナログタイプの車両用計器装置
７      ケース
９      カバー（裏カバー）
１０    第１係止部
２０    第２係止部
１１    可撓部材
１２    第１係止爪
１３    第１係止受
１３ａ  第１係止面
１３ｂ  テーパー面
１３ｃ  先端面
２０    第２係止部
【図１】
2006105922.tif 000003
【図２】
2006105922.tif 000004
【図３】
2006105922.tif 000005
【図４】
2006105922.tif 000006
【図５】
2006105922.tif 000007
【図６】
2006105922.tif 000008
【図７】
2006105922.tif 000009
【図８】
2006105922.tif 000010